(57)【要約】      （修正有）【課題】光信号と可視光発射可能なコネクタ付きケーブル組立体を提供する。【解決手段】ケーブル組立体１００は、ケーブル１２０と、コネクタ１１０とを備え、その内、ケーブル組立体のコネクタは、光信号をケーブルの光ファイバ線に発射してデータを伝達するためのレーザダイオード１４１と、可視光をケーブルのプラスチックファイバ線に発射するための発光ダイオード（ＬＥＤ）１４４とを有することで、ユーザが可視光を異なる目的で使用することができる。そのほか、ケーブル組立体のコネクタが高精細度マルチメディアインターフェース（ＨＤＭＩ）の標準規格に合致することができる。【選択図】図１
2018136526.tif 000002
【特許請求の範囲】
【請求項１】
少なくとも１本の第１光ファイバ線と、少なくとも１本の第２光ファイバ線とを有するケーブルと、前記ケーブルに連結される第１コネクタとを備えるケーブル組立体であって、
前記第１コネクタは、外部装置に連結されて前記外部装置から伝達されるデータを受信するための第１インターフェースと、少なくとも１つの回路基板とを有し、
前記少なくとも１つの回路基板上に複数個の装置が設けられて回路に形成され、
前記回路は、少なくとも１つの光信号を前記少なくとも１本の第１光ファイバ線に発射して前記外部装置から受信されるデータを伝達するための少なくとも１つのレーザダイオード（ｌａｓｅｒ  ｄｉｏｄｅ）と、少なくとも１つの第１可視光を前記少なくとも１本の第２光ファイバ線に発射するための少なくとも１つの第１発光ダイオード（ＬＥＤ）とを含むことを特徴とする、
ケーブル組立体。
【請求項２】
前記第１コネクタが高精細度マルチメディアインターフェース（ＨＤＭＩ）の標準に合致することを特徴とする、請求項１に記載のケーブル組立体。
【請求項３】
前記回路は、前記少なくとも１つのレーザダイオードと、前記少なくとも１つの第１発光ダイオード（ＬＥＤ）とを制御するための少なくとも１つの制御集積回路（ＩＣ）を含むことを特徴とする、請求項１に記載のケーブル組立体。
【請求項４】
当該第１発光ダイオード（ＬＥＤ）が三原色発光ダイオード（ＲＧＢ  ＬＥＤ）であることを特徴とする、請求項１に記載のケーブル組立体。
【請求項５】
前記回路は、第１スイッチを含み、前記第１スイッチの導通時に、当該第１発光ダイオード（ＬＥＤ）は前記第１可視光を発光することを特徴とする、請求項１に記載のケーブル組立体。
【請求項６】
前記少なくとも１つのレーザダイオードが前記少なくとも１つの光信号を発射する時に、当該第１発光ダイオード（ＬＥＤ）は前記第１可視光を発射することを特徴とする、請求項１に記載のケーブル組立体。
【請求項７】
前記回路は、第１スイッチを含み、前記第１スイッチの導通時に、前記三原色発光ダイオード（ＲＧＢ  ＬＥＤ）は前記第１可視光を発射することを特徴とする、請求項４に記載のケーブル組立体。
【請求項８】
前記ケーブルに連結される第２コネクタをさらに備え、前記第２コネクタは、前記少なくとも１本の第２光ファイバ線に向けて第２可視光を発射するための少なくとも１つの第２発光ダイオード（ＬＥＤ）を含むことを特徴とする、請求項１に記載のケーブル組立体。
【請求項９】
前記第２コネクタは、第２スイッチを含み、前記第２スイッチの導通時に、当該第２発光ダイオード（ＬＥＤ）は前記第２可視光を発射することを特徴とする、請求項８に記載のケーブル組立体。
【請求項１０】
当該第２発光ダイオード（ＬＥＤ）が三原色発光ダイオード（ＲＧＢ  ＬＥＤ）であることを特徴とする、請求項９に記載のケーブル組立体。
【請求項１１】
ケーブル組立体と一体成形されたヘッドセットであって、
前記ケーブル組立体は、少なくとも１本の第１光ファイバ線と、少なくとも１本の第２光ファイバ線とを有するケーブルと、前記ケーブルに連結されるコネクタとを備え、
前記コネクタは、外部装置に連結されて前記外部装置からのデータを受信するためのインターフェースと、少なくとも１つの回路基板とを有し、
前記少なくとも１つの回路基板上に複数個の装置が設けられて回路に形成され、
前記回路は、少なくとも１つの光信号を前記少なくとも１本の第１光ファイバ線に発射して前記外部装置から受信されるデータを伝達するための少なくとも１つのレーザダイオード（ｌａｓｅｒ  ｄｉｏｄｅ）と、少なくとも１つの第１可視光を前記少なくとも１本の第２光ファイバ線に発射するための少なくとも１つの発光ダイオード（ＬＥＤ）とを含むことを特徴とする、
ケーブル組立体と一体成形されたヘッドセット。
【請求項１２】
前記外部装置が携帯電話であることを特徴とする、請求項１１に記載のケーブル組立体と一体成形されたヘッドセット。
【請求項１３】
当該発光ダイオード（ＬＥＤ）が三原色発光ダイオード（ＲＧＢ  ＬＥＤ）であり、前記三原色発光ダイオード（ＲＧＢ  ＬＥＤ）は、予め設定された間隔に基づいて点滅することを特徴とする、請求項１１に記載のケーブル組立体と一体成形されたヘッドセット。
【発明の詳細な説明】
【技術分野】
【０００１】
本発明は、ケーブル組立体に係り、特に、光信号と可視光発射可能なコネクタ付きケーブル組立体に関するものである。
【背景技術】
【０００２】
近年では、光ファイバは、ビデオ信号又はその他の高速マルチデータ信号の伝達に既に広範に用いられている。しかし、多くの光ファイバケーブルを使用して遠隔装置を同じ部屋のローカル機器に連結すると、光ファイバケーブルを追跡することが困難となる。
【０００３】
また、伝統的な高精細度マルチメディアインターフェース（ＨＤＭＩ（登録商標））ケーブルには、銅線を使用してデータを伝達し、この種の伝統的な高精細度マルチメディアインターフェース（ＨＤＭＩ）ケーブルの帯域幅が有限であり、かつ干渉を受けやすい。そのため、上記問題を解決するための新たなケーブル組立体が必要となる。
【０００４】
そこで、上記の問題を克服するために、本発明は、新たなケーブル組立体の設計を提出する。
【発明の概要】
【発明が解決しようとする課題】
【０００５】
本発明の一目的は、コネクタを備えるケーブル組立体を提供することであり、前記コネクタには、ビデオ又は高速データの電気信号を光信号に変換するための回路と、可視光を生成する回路とが形成されることで、ユーザが前記可視光を、例えば、特定の光ファイバケーブルを追跡と識別するような異なる目的で使用することができる。
【課題を解決するための手段】
【０００６】
本発明の一実施例では、ケーブル組立体を提供し、その内、ケーブル組立体は、光ファイバケーブルと、コネクタとを備え、その内、前記コネクタには、光信号を光ファイバケーブル内部の光ファイバ線に伝達するためのレーザダイオードと、可視光を発射して光ファイバケーブル内部のプラスチックファイバ線に伝達するための発光ダイオード（ＬＥＤ）とを含み、その内、可視光は、光ファイバケーブルを識別するために用いられる。そのほか、ケーブル組立体のコネクタが高精細度マルチメディアインターフェース（ＨＤＭＩ）の標準に合致することができる。
【０００７】
本発明の一実施例では、ケーブル組立体を提供し、それは、少なくとも１本の第１光ファイバ線と、少なくとも１本の第２光ファイバ線とを有するケーブルと、前記ケーブルに連結される第１コネクタとを備え、前記第１コネクタは、外部装置に連結されて前記外部装置から伝達されるデータを受信するための第１インターフェースと、少なくとも１つの回路基板とを有し、その内、前記少なくとも１つの回路基板上に複数個の装置が設けられて回路に形成され、その内、前記回路は、少なくとも１つのレーザダイオード（ｌａｓｅｒ  ｄｉｏｄｅ）と、少なくとも１つの第１発光ダイオード（ＬＥＤ）とを含み、その内、前記少なくとも１つのレーザダイオード（ｌａｓｅｒ  ｄｉｏｄｅ）は、少なくとも１つの光信号を前記少なくとも１本の第１光ファイバ線に発射して前記外部装置から受信されるデータを伝達するために用いられ、前記少なくとも１つの第１発光ダイオード（ＬＥＤ）は、少なくとも１つの第１可視光を前記少なくとも１本の第２光ファイバ線に発射するために用いられる。
【０００８】
一実施例において、ケーブルは、少なくとも１本の金属導線を有すると共に、標準的な高精細度マルチメディアインターフェース（ＨＤＭＩ）コネクタの規格に合致する。
【０００９】
一実施例において、前記少なくとも１つの回路基板がプリント回路基板（ＰＣＢ）である。
【００１０】
一実施例において、回路は、少なくとも１つのレーザダイオードと、少なくとも１つの第１発光ダイオード（ＬＥＤ）とを制御するための制御集積回路（ＩＣ）を含む。
【００１１】
一実施例において、各発光ダイオードが三原色発光ダイオード（ＲＧＢ  ＬＥＤ）である。
【００１２】
一実施例において、回路は、第１スイッチを含み、その内、第１スイッチの導通時に、各三原色発光ダイオード（ＲＧＢ  ＬＥＤ）は可視光を発射する。
【００１３】
一実施例において、少なくとも１つのレーザダイオードが少なくとも１つの光信号を発射する時に、各発光ダイオード（ＬＥＤ）は可視光を発射する。
【００１４】
一実施例において、ケーブル組立体は、ケーブルに連結される第２コネクタを備え、その内、第２コネクタは、少なくとも１本の第２光ファイバ線に第２可視光を発射するための少なくとも１つの第２発光ダイオード（ＬＥＤ）を含む。
【００１５】
一実施例において、第２コネクタは、第２スイッチを含み、その内、第２スイッチの導通時に、少なくとも１つの第２発光ダイオード（ＬＥＤ）のうちの各発光ダイオード（ＬＥＤ）は可視光を発射する。
【００１６】
一実施例において、前記少なくとも１つの第２発光ダイオード（ＬＥＤ）のうちの各発光ダイオード（ＬＥＤ）が三原色発光ダイオード（ＲＧＢ  ＬＥＤ）である。
【００１７】
一実施例において、第２スイッチの導通時に、各三原色発光ダイオード（ＲＧＢ  ＬＥＤ）は可視光を発光する。
【００１８】
一実施例において、ケーブル組立体は、第２コネクタをさらに備え、その内、第２コネクタと第１コネクタとが、ケーブルを介して連結されており、その内、第２コネクタがヘッドセットに連結される。
【００１９】
一実施例において、ケーブル組立体は、第２コネクタをさらに備え、その内、第２コネクタと第１コネクタとが、ケーブルを介して連結されており、その内、第２コネクタがヘッドセットと一体成形される。
【００２０】
本発明の一実施例では、ケーブル組立体と一体成形されたヘッドセットを提供し、その内、ケーブル組立体は、少なくとも１本の第１光ファイバ線と、少なくとも１本の第２光ファイバ線とを有するケーブルと、ケーブルに連結されるコネクタとを備え、その内、コネクタは、外部装置に連結されて前記外部装置からのデータを受信するためのインターフェースと、少なくとも１つの回路基板とを有し、その内、前記少なくとも１つの回路基板上に複数個の装置が設けられて回路に形成され、その内、前記回路は、少なくとも１つのレーザダイオード（ｌａｓｅｒ  ｄｉｏｄｅ）と、少なくとも１つの発光ダイオード（ＬＥＤ）とを含み、その内、前記少なくとも１つのレーザダイオード（ｌａｓｅｒ  ｄｉｏｄｅ）は、少なくとも１つの光信号を前記少なくとも１本の第１光ファイバ線に発射して前記外部装置から受信されるデータを伝達するために用いられ、前記少なくとも１つの発光ダイオード（ＬＥＤ）は、少なくとも１つの第１可視光を当該第２光ファイバ線に発射するために用いられる。
【００２１】
一実施例において、外部装置が移動電話である。
【００２２】
本分野の技術者に、保護請求している本発明の特徴を十分に理解してもらうために、本発明を実現するための詳細な技術と上記の好適な実施例を添付の図面を参照しながら記述する。
【００２３】
添付図面と共に、以下の詳細な記述を参照することにより、前述の本発明の態様とそれに付随する多くの利点は、よりよく理解できるであろう。図面の簡単な説明は、以下の通りである。
【図面の簡単な説明】
【００２４】
【図１】本発明の一実施例によるケーブル組立体を説明する模式図である。
【図２Ａ】本発明の一実施例によるケーブルの一つの配置又は形状を説明する図である。
【図２Ｂ】本発明の一実施例によるケーブルの他の配置又は形状を説明する図である。
【図２Ｃ】本発明の一実施例によるケーブルの他の配置又は形状を説明する図である。
【図２Ｄ】本発明の一実施例によるケーブルの他の配置又は形状を説明する図である。
【図３Ａ】本発明の一実施例により、１個の三原色発光ダイオード（ＲＧＢ  ＬＥＤ）から可視光を発射するための設置を説明する図である。
【図３Ｂ】本発明の一実施例により、２個の三原色発光ダイオード（ＲＧＢ  ＬＥＤ）から可視光を発射するための設置を説明する図である。
【図４】本発明の一実施例による別個のケーブル組立体を示す模式図である。
【図５Ａ】本発明の一実施例によるケーブルの一つの配置又は形状を説明する図である。
【図５Ｂ】本発明の一実施例によるケーブルの他の配置又は形状を説明する図である。
【図５Ｃ】本発明の一実施例によるケーブルの他の配置又は形状を説明する図である。
【図５Ｄ】本発明の一実施例によるケーブルの他の配置又は形状を説明する図である。
【図６Ａ】本発明の一実施例により、１個の三原色発光ダイオード（ＲＧＢ  ＬＥＤ）から可視光を発射するための設置を説明する図である。
【図６Ｂ】本発明の一実施例により、２個の三原色発光ダイオード（ＲＧＢ  ＬＥＤ）から可視光を発射するための設置を説明する図である。
【発明を実施するための形態】
【００２５】
本発明の詳細な説明を以下に記述する。記述される好ましい実施例は、説明と記述の目的のために提示されたものであり、本発明の範囲を制限することを意図しない。
【実施例１】
【００２６】
前記実施例にケーブル組立体が開示される。それは、ビデオ又はその他の適切な信号を伝達するために用いられ、そのほか、一定の条件を満足すると、ケーブル組立体から可視光が発射されることで、ユーザが可視光を異なる目的で用いることができる。
この実施例において、ケーブル組立体が高精細度マルチメディアインターフェース（ＨＤＭＩ）の標準に合致することで、ケーブル組立体を高精細度マルチメディアインターフェース（ＨＤＭＩ）を使用する装置に応用することができる。ケーブル組立体は、銅材料を使用しないで光ファイバを使用することにより、ビデオ信号を伝達する。
ユーザが光ケーブルを容易に識別できるために、高精細度マルチメディアインターフェース（ＨＤＭＩ）を介して信号を伝達する時に、高精細度マルチメディアインターフェース（ＨＤＭＩ）ケーブル全体にわたって前記可視光で点灯することができる。信号を伝達するかどうかにかかわらず、ユーザも選択的に可視光を全消灯又は点灯することができる。可視光の色は、ユーザより設定され、異なる可視光の色を切り替えることにより、ユーザが異なるケーブル及びそれに連結される装置を容易に区別することができる。
【００２７】
光ファイバを伝達媒体とすることにより、信号をより速くより遠くへ伝達することができる。これによると、さらに多くの帯域幅を提供することができる上、かつ干渉を受けることなく、銅線ケーブルで作製された１本の高精細度マルチメディアインターフェース（ＨＤＭＩ）ケーブルに比べて、光ファイバで作製された高精細度マルチメディアインターフェース（ＨＤＭＩ）ケーブルの方がより大きい帯域幅を有し、よりよい伝達品質を提供できる。
【００２８】
図１は、本発明の一実施例のケーブル組立体を説明する模式図である。図１に示すように、ケーブル組立体１００は、第１コネクタ１１０と、第２コネクタ１３０と、第１コネクタ１１０と第２コネクタ１３０を連結するケーブル１２０とを備える。
第１コネクタ１１０は、第１インターフェース１１１と、例えば、プリント回路基板（ＰＣＢ）１４０のような回路基板とを有する。第１インターフェース１１１は、例えば、セットトップボックスのような外部装置に連結されるために用いられ、外部装置は、第１インターフェース１１１を介して第１コネクタ１１０に向けてビデオ信号を発信することができる。第１コネクタ１１０には、レーザダイオード１４１と、制御集積回路（ＩＣ）１４２と、スイッチ１４３と、三原色発光ダイオード（ＲＧＢ  ＬＥＤ）１４４とを搭載したプリント回路基板（ＰＣＢ）１４０の使用に従って回路が形成される。前記回路は、第１インターフェース１１１から受信される電気信号をレーザダイオード１４１を通じて光信号に変換して、その光信号をケーブル１２０内の光ファイバ線１２１に伝達し、及び三原色発光ダイオード（ＲＧＢ  ＬＥＤ）１４４のような発光ダイオードを通じて可視光を発射する。その内、スイッチ１４３の導通時に、三原色発光ダイオード（ＲＧＢ  ＬＥＤ）１４４のような発光ダイオード（ＬＥＤ）の可視光を発射させることができ、レーザダイオード１４１が光信号を発射する時も、三原色発光ダイオード（ＲＧＢ  ＬＥＤ）１４４のような発光ダイオード（ＬＥＤ）を可視光を発射させることができる。レーザダイオード１４１が発射する光信号は、高周波信号を伝達するために、不可視光であってもよい。
【００２９】
プリント回路基板（ＰＣＢ）１４０上の回路は、電気光変換回路（ｅｌｅｃｔｒｉｃａｌ  ｔｏ  ｏｐｔｉｃａｌ  ｃｏｎｖｅｒｔｅｒ）を含む。それは、制御集積回路（ＩＣ）１４２とレーザダイオード１４１とによって実現されてもよく、前記第１インターフェース１１１からの第１組の電気信号を第１組の光信号に変換して少なくとも１本の第１ファイバ線に伝達する。
プリント回路基板（ＰＣＢ）１４０上の回路は、第１可視光発射回路を含み、前記第１可視光発射回路は、制御集積回路（ＩＣ）１４２と、スイッチ１４３と、三原色発光ダイオード（ＲＧＢ  ＬＥＤ）１４４とによって実現され、第１可視光を発射して少なくとも１本の第２ファイバ線に伝達する。前記少なくとも１本の第１ファイバ線のうちの各本がファイバ線であってもよく、かつ前記少なくとも１本の第２ファイバ線のうちの各本はプラスチックファイバ線であってもよい。注意すべきことは、制御集積回路（ＩＣ）１４２は、レーザダイオード１４１及び三原色発光ダイオード（ＲＧＢ  ＬＥＤ）１４４を制御するために用いられる点である。
本発明は、電気光変換回路又は可視光発射回路による実現に限られるものではない。そのほか、本発明は、ケーブル組立体の第１コネクタの回路を実現するための回路基板又はプリント回路基板（ＰＣＢ）の使用枚数に限定されるものではない。
【００３０】
一実施例において、スイッチ１４３の導通時に、三原色発光ダイオード（ＲＧＢ  ＬＥＤ）１４４は可視光を発射し、その内、三原色発光ダイオード（ＲＧＢ  ＬＥＤ）１４４は異なる色の可視光を発射することができる。また、ユーザがスイッチ１４３又はより多くのスイッチを使用して異なる光モードを選択することができ、それは、異なる色、輝度や照明態様などの光モードを含む。
三原色発光ダイオード（ＲＧＢ  ＬＥＤ）１４４が制御可能なので、三原色発光ダイオード（ＲＧＢ  ＬＥＤ）１４４の可視光を恒常的に発射することができ、又は選択的に可視光を発射又は消灯することができる。ケーブル１２０は、二重チャネルケーブルに構成されてもよく、レーザ信号と発光ダイオード（ＬＥＤ）の光信号とを、ケーブル１２０の一端から他端へ伝達する。一実施例において、第１コネクタ１１０が高精細度マルチメディアインターフェース（ＨＤＭＩ）の標準に合致する。
【００３１】
図２Ａ〜図２Ｄは、ケーブルの多くの異なる配置又は形状を表示する。ケーブルは、少なくとも１本の光ファイバ線と、少なくとも１本のプラスチックファイバ線と、例えば、銅導線のような少なくとも１本の金属導線とを有する。
前記少なくとも１本の光ファイバ線は、不可視光の光信号を伝達するために用いられ、前記少なくとも１本のプラスチックファイバ線は、可視光を伝達するために用いられる。例えば、銅導線のような前記少なくとも１本の金属導線は、例えば、電気通信制御信号のような電気信号を伝達するために用いられる。本発明は、不可視光を伝達する光ファイバ線の数量、可視光を伝達するプラスチックファイバ線の数量や電気信号を伝達するための金属導線の数量などに制限されるものではない。
【００３２】
図２Ａに示すように、ケーブル１２０は、４本の光ファイバ線１２１と、１本のプラスチックファイバ線１２２と、７本の金属導線１２３とを有し、その内、４本の光ファイバ線１２１のうちの各本の光ファイバ線は、光信号を伝達するために用いられ、プラスチックファイバ線１２２は、可視光を伝達するために用いられ、かつ７本の金属導線１２３のうちの各本の金属導線は、電気信号を伝達するために用いられる。
【００３３】
図２Ｂは、異なる配置を表示する。その内、ケーブル１２０は、４本の光ファイバ線１２１と、２本のプラスチックファイバ線１２２と、７本の金属導線１２３とを有し、その内、４本の光ファイバ線１２１のうちの各本は、光信号を伝達するために用いられる。２本のプラスチックファイバ線１２２のうちの各本は、可視光を伝達するために用いられ、７本の金属導線１２３のうちの各本は、電気信号を伝達するために用いられる。４本の光ファイバ線１２１は、不可視光の光信号を伝達するために用いられる。注意すべきことは、この配置において、ダミー導線（ｄｕｍｍｙ  ｗｉｒｅ）１６０を使用していない点である。
【００３４】
図２Ｃは、異なる配置を表示する。その内、ケーブル１２０は、４本の光ファイバ線１２１と、４本のプラスチックファイバ線１２２と、７本の金属導線１２３とを有し、その内、４本の光ファイバ線１２１のうちの各本は、光信号を伝達するために用いられる。４本のプラスチックファイバ線１２２のうちの各本は、可視光を伝達するために用いられ、７本の金属導線１２３のうちの各本は、電気信号を伝達するために用いられる。注意すべきことは、この配置において、ダミー導線（ｄｕｍｍｙ  ｗｉｒｅ）１６０を使用していない点である。
【００３５】
図２Ｄは、異なる配置を表示する。その内、ケーブル１２０は、４本の光ファイバ線１２１と、４本のプラスチックファイバ線１２２と、７本の金属導線１２３とを有し、その内、４本の光ファイバ線１２１のうちの各本は、光信号を伝達するために用いられ、４本のプラスチックファイバ線１２２のうちの各本は、可視光を伝達するために用いられる。７本の金属導線１２３のうちの各本は、電気信号を伝達するために用いられる。注意すべきことは、この配置において、ダミー導線（ｄｕｍｍｙ  ｗｉｒｅ）１６０を使用していない点である。
【００３６】
図１に示すように、第２コネクタ１３０は、第２インターフェース１３１と、例えば、プリント回路基板（ＰＣＢ）１５０のような回路基板とを有する。第２インターフェース１３１は、例えば、テレビのような第２外部装置に連結されるために用いられ、複数個の電子部品がプリント回路基板（ＰＣＢ）１５０上に設けられ、前記複数個の電子部品は、フォトダイオードアレイ１５１と、光電気変換回路を形成するための制御集積回路（ＩＣ）１５２と、第１可視光を発射するための発光ダイオード（ＬＥＤ）とを含む。その内、光電気変換回路は、光信号を電気信号に戻すように変換して、データをテレビのような前記第２外部装置に伝送するために用いられ、第１可視光の発光ダイオード（ＬＥＤ）が三原色発光ダイオード（ＲＧＢ  ＬＥＤ）１５４であってもよい。
一実施例において、第２コネクタ１３０は、第２スイッチ１５３を含み、第２スイッチ１５３の導通時に、三原色発光ダイオード（ＲＧＢ  ＬＥＤ）１５４は可視光を発射する。注意すべきことは、制御集積回路（ＩＣ）１５２は、フォトダイオードアレイ１５１及び三原色発光ダイオード（ＲＧＢ  ＬＥＤ）１５４を制御するために用いられ、三原色発光ダイオード（ＲＧＢ  ＬＥＤ）１５４は異なる色の可視光を発射することができる点である。
【００３７】
図３Ａは、１つの三原色発光ダイオード（ＲＧＢ  ＬＥＤ）１４４から可視光を発射するための設置を表示する。その内、三原色発光ダイオード（ＲＧＢ  ＬＥＤ）１４４がプリント回路基板（ＰＣＢ）１４０上方に設けられ、かつ三原色発光ダイオード（ＲＧＢ  ＬＥＤ）１４４から発射する可視光がプラスチックファイバ線１２２に伝達される。一実施例において、プラスチックファイバ線１２２を光拡散器と一体成形することができる。
【００３８】
図３Ｂは、２個の三原色発光ダイオード（ＲＧＢ  ＬＥＤ）１４４の装置を示す。その内、１個の三原色発光ダイオード（ＲＧＢ  ＬＥＤ）１４４がプリント回路基板（ＰＣＢ）１４０上方に設けられて、別個の三原色発光ダイオード（ＲＧＢ  ＬＥＤ）１４４がプリント回路基板（ＰＣＢ）１４０下面に設けられる。その内、各三原色発光ダイオード（ＲＧＢ  ＬＥＤ）１４４から発光する可視光が相対応のプラスチックファイバ線１２２に伝達される。一実施例において、各本のプラスチックファイバ線１２２を相対応の光拡散放射器と一体成形することができる。
【実施例２】
【００３９】
前記実施例にケーブル組立体が開示される。それは、音声又はその他の適切な信号を伝達するために用いられ、例えば、ケーブル組立体は、ヘッドセットに連結されるために用いられ、又はヘッドセットと一体成形されるために用いられる。
【００４０】
ヘッドセットケーブルの製造に銅材料を使用しない一方、光ファイバケーブルを使用して光ファイバヘッドセットケーブルを製造する。ユーザが光ファイバで製造された光ファイバヘッドセットケーブルを容易に識別するために、信号を光ファイバヘッドセットケーブルを通じて伝達する際に、光ファイバヘッドセットケーブル全体にわたって点灯することができる。
ユーザより、可視光を完全に消灯するか、あるいは信号伝達中かどうかにかかわらず、可視光をずっと点灯したままにするかを選択することもできる。可視光の色は、ユーザより設定され、異なる光ファイバヘッドセットケーブルの色を切り替えることにより、ユーザが異なるヘッドセット及びそれに連結される装置を安易に区別することができる。
【００４１】
光を伝達媒体として使用することにより、信号をより速くかつより遠くへ転送することができ、これによると、より大きい帯域幅を提供することができる上、かつ干渉を受けることない。銅線ケーブルに比べて、光ファイバで作製された光ファイバヘッドセットケーブルの方がより広い音声帯域幅を持ち、品質もより好ましくなる。
光学的変換のほかに、光ファイバヘッドセットケーブルの受信端には、さらにデジタル音声を処理するためのデジタル音声処理集積回路（ＩＣ）と、デジタル音声をアナログ音声に変換するデジタルアナログ（Ｄ／Ａ）変換器とを含む。デジタル音声処理集積回路（ＩＣ）は、騒音低減効果、サラウンド音響効果、かつ特殊な音声を提供できる効果などの機能を奏するものである。
【００４２】
図４に示す本発明の一実施例によるケーブル組立体を説明する模式図を参照する。図４に示すように、ケーブル組立体４００は、第１コネクタ４１０と、第２コネクタ４３０と、第１コネクタ４１０と第２コネクタ４３０を連結するケーブル４２０とを備える。
第１コネクタ４１０は、音声信号を第１コネクタ４１０の外部装置に発信するための第１インターフェース４１１と、プリント回路基板（ＰＣＢ）４４０のような回路基板とを有し、その内、プリント回路基板（ＰＣＢ）４４０上に、レーザダイオード４４１と、制御集積回路（ＩＣ）４４２と、スイッチ４４３と、三原色発光ダイオード（ＲＧＢ  ＬＥＤ）４４４とが設けられて回路に形成される。前記回路は、第１インターフェース４１１から受信される電気信号を光信号に変換し、及びスイッチ４４３と集積回路（ＩＣ）４４４とを通じて可視光を発生させる。プリント回路基板（ＰＣＢ）４４０上の回路は、第１電気光変換回路と、第１可視光発射回路とを含み、その内、前記第１電気光変換回路は、制御集積回路（ＩＣ）４４２とレーザダイオード４４１とを通じて前記第１インターフェース４１１からの第１組の電気信号を第１組の光信号に変換して第１組の光信号を前記少なくとも１本の第１光ファイバ線４２１に伝達し、前記第１可視光発射回路は、制御集積回路（ＩＣ）４４２と、スイッチ４４３と、三原色発光ダイオード（ＲＧＢ  ＬＥＤ）４４４とを通じて第１可視光を少なくとも１本のプラスチックファイバ線４２２（第２光ファイバ線）に発射する。
注意すべきことは、制御集積回路（ＩＣ）４４２は、レーザダイオード４４１及び三原色発光ダイオード（ＲＧＢ  ＬＥＤ）４４４を制御するために用いられ点である。但し、本発明は、電気光変換回路又は可視光発射回路による実現方式に制限されるものではない。そのほか、本発明は、第１コネクタ中の回路を実現するための回路基板又はプリント回路基板（ＰＣＢ）の使用枚数に制限されるものではない。
【００４３】
一実施例において、スイッチ４４３の導通時に、三原色発光ダイオード（ＲＧＢ  ＬＥＤ）４４４は可視光を発射し、その内、三原色発光ダイオード（ＲＧＢ  ＬＥＤ）４４４は異なる色の可視光を発射することができる。そのほか、ユーザがスイッチ４４３を使用したり、又はより多くのスイッチを使用したりして異なる光モードを選択することができ、これらの光モードは、異なる色、照度や照明態様などの光を含む。
三原色発光ダイオード（ＲＧＢ  ＬＥＤ）４４４が制御可能なので、三原色発光ダイオード（ＲＧＢ  ＬＥＤ）４４４は、可視光を恒常的に発射することができ、又は選択的に可視光を発射することができる。ケーブル４２０は、二重チャネルケーブルに構成されてもよく、不可視光信号のようなレーザダイオード４４１の光信号と発光ダイオード（ＬＥＤ）の可視光信号とを、ケーブル４２０の一端から他端へ伝達する。
【００４４】
図５Ａ〜図５Ｄは、ケーブルの多くの異なる配置又は形状を示す。ケーブル４２０は、少なくとも１本の光ファイバ線と、少なくとも１本のプラスチックファイバ線と、少なくとも１本の金属導線とを有する。その内、前記少なくとも１本の光ファイバ線のうちの各本の光ファイバ線は、外部装置からのデータを伝達するための光信号を伝達するために用いられ、少なくとも１本のプラスチックファイバ線は、可視光を発射するために用いられる。本発明は、光ファイバ線の数量、可視光を伝達するためのプラスチックファイバ線の数量や電気信号を伝達するための金属導線の数量などに限られるものではない。
【００４５】
図５Ａに示すように、ケーブル４２０は、４本の光ファイバ線４２１と、１本のプラスチックファイバ線４２２と、７本の金属導線４２３とを有する。その内、４本の光ファイバ線４２１のうちの各本の光ファイバ線は、光信号を伝達するために用いられ、プラスチックファイバ線４２２は、可視光を伝達するために用いられ、かつ７本の金属導線４２３のうちの各本の金属導線は、電気信号を伝達するために用いられる。
【００４６】
図５Ｂは、異なる配置を示す。その内、ケーブル４２０は、４本の光ファイバ線４２１と、２本のプラスチックファイバ線４２２と、７本の金属導線４２３とを有し、その内、４本の光ファイバ線４２１のうちの各本の光ファイバ線は、光信号を伝達するために用いられ、２本のプラスチックファイバ線４２２のうちの各本は、可視光を伝達するために用いられ、７本の金属導線４２３のうちの各本の金属導線は、電気信号を伝達するために用いられる。注意すべきことは、この配置において、ダミー導線４６０を使用していない点である。
【００４７】
図５Ｃは、異なる配置を示す。その内、ケーブル４２０は、４本の光ファイバ線４２１と、４本のプラスチックファイバ線４２２と、７本の金属導線４２３とを有する。その内、４本の光ファイバ線４２１のうちの各本の光ファイバ線は、光信号を伝達するために用いられ、４本のプラスチックファイバ線４２２のうちの各本のプラスチックファイバ線は、可視光を伝達するために用いられ、７本の金属導線４２３のうちの各本の金属導線は、電気信号を伝達するために用いられる。注意すべきことは、この配置において、ダミー導線４６０を使用していない点である。
【００４８】
図５Ｄは、異なる配置を示す。その内、ケーブル４２０は、４本の光ファイバ線４２１と、４本のプラスチックファイバ線４２２と、７本の金属導線４２３とを有する。その内、４本の光ファイバ線４２１のうちの各本の光ファイバ線は、光信号を伝達するために用いられ、４本のプラスチックファイバ線４２２のうちの各本のプラスチックファイバ線は、可視光を伝達するために用いられ、７本の金属導線４２３のうちの各本の金属導線は、電気信号を伝達するために用いられる。注意すべきことは、この配置において、ダミー導線４６０を使用していない点である。
【００４９】
図４に示すように、第２コネクタ４３０は、プリント回路基板（ＰＣＢ）４５０のような回路基板と、第２外部装置に連結されるための第２インターフェース４３１とを有することで、第２外部装置から出力されるデジタル音声を、第２インターフェース４３１に入力することができる。その内、プリント回路基板（ＰＣＢ）４５０上に複数個の電子部品が設けられ、その内、前記複数個の電子部品は、フォトダイオードアレイ４５１と、第１組の光信号を第１組の電気信号に戻すように変換するための制御集積回路（ＩＣ）４５２の光電気変換回路と、第２可視光を発射するための発光ダイオード（ＬＥＤ）４５４の第２可視光発射回路とを含む。
一実施例において、第２コネクタ４３０は、第２スイッチ４５３を含み、その内、第２スイッチ４５３の導通時に、発光ダイオード（ＬＥＤ）４５４は可視光を発射する。注意すべきことは、制御集積回路（ＩＣ）４５２は、フォトダイオードアレイ４５１及び発光ダイオード（ＬＥＤ）４５４を制御するために用いられる点である。
一実施例において、当該発光ダイオード（ＬＥＤ）４５４が、異なる色の可視光を発射するための三原色発光ダイオード（ＲＧＢ  ＬＥＤ）であってもよい。第２コネクタ４３０は、さらに音声信号を処理するデジタル音声処理集積回路（ＩＣ）４５５と、デジタル信号をアナログ信号に変換してこのアナログ信号をヘッドセット４８０に伝達するためのデジタルアナログ変換器（ＤＡＣ）４５６とを含んでもよい。
【００５０】
図６Ａは、１つの三原色発光ダイオード（ＲＧＢ  ＬＥＤ）４４４から可視光を発射する設置を示す。その内、三原色発光ダイオード（ＲＧＢ  ＬＥＤ）４４４がプリント回路基板（ＰＣＢ）４４０上方に設けられ、かつ三原色発光ダイオード（ＲＧＢ  ＬＥＤ）４４４から発射する可視光がプラスチックファイバ線４２２に伝達される。一実施例において、プラスチックファイバ線４２２を光拡散放射器と一体成形することができる。
【００５１】
図６Ｂは、２個の三原色発光ダイオード（ＲＧＢ  ＬＥＤ）４４４のうちの各々から可視光を発射するための設置を示す。その内、１個の三原色発光ダイオード（ＲＧＢ  ＬＥＤ）４４４がプリント回路基板（ＰＣＢ）４４０上に設けられ、別個の三原色発光ダイオード（ＲＧＢ  ＬＥＤ）４４４がプリント回路基板（ＰＣＢ）４４０下面に設けられ、かつ各三原色発光ダイオード（ＲＧＢ  ＬＥＤ）４４４から発射する可視光が相応のプラスチックファイバ線４２２に伝達される。一実施例において、各本のプラスチックファイバ線４２２を相応の光拡散放射器と一体成形することができる。
【００５２】
以上の開示は、その詳細な技術内容と発明の特徴に関連するものである。本分野の技術者であれば、記述される本発明の開示及び提案に基づいて、その特徴から逸脱することなく、様々な修正と置換をなすことができる。それにもかかわらず、そのような修正と置換は、以上の記述では十分に開示されていないとしても、それらは、添付の特許請求の範囲に実質的に包含されている。
【符号の説明】
【００５３】
１００  ケーブル組立体
１１０  第１コネクタ
１１１  第１インターフェース
１２０  ケーブル
１２１  光ファイバ線
１２２  プラスチックファイバ線
１２３  金属導線
１３０  第２コネクタ
１３１  第２インターフェース
１４０  プリント回路基板
１４１  レーザダイオード
１４２  制御集積回路
１４３  スイッチ
１４４  三原色発光ダイオード
１５０  プリント回路基板
１５１  フォトダイオードアレイ
１５２  制御集積回路
１５３  第２スイッチ
１５４  三原色発光ダイオード
１６０  ダミー導線
４００  ケーブル組立体
４１０  第１コネクタ
４１１  第１インターフェース
４２０  ケーブル
４２１  光ファイバ線
４２２  プラスチックファイバ線
４２３  金属導線
４３０  第２コネクタ
４３１  第２インターフェース
４４０  プリント回路基板
４４１  レーザダイオード
４４２  制御集積回路
４４３  スイッチ
４４４  三原色発光ダイオード
４５０  プリント回路基板
４５１  フォトダイオードアレイ
４５２  制御集積回路
４５３  第２スイッチ
４５４  発光ダイオード
４５５  デジタル音声処理集積回路
４５６  デジタルアナログ変換器
４６０  ダミー導線
４８０  ヘッドセット
【図１】
2018136526.tif 000003
【図２Ａ】
2018136526.tif 000004
【図２Ｂ】
2018136526.tif 000005
【図２Ｃ】
2018136526.tif 000006
【図２Ｄ】
2018136526.tif 000007
【図３Ａ】
2018136526.tif 000008
【図３Ｂ】
2018136526.tif 000009
【図４】
2018136526.tif 000010
【図５Ａ】
2018136526.tif 000011
【図５Ｂ】
2018136526.tif 000012
【図５Ｃ】
2018136526.tif 000013
【図５Ｄ】
2018136526.tif 000014
【図６Ａ】
2018136526.tif 000015
【図６Ｂ】
2018136526.tif 000016
【外国語明細書】
2018136526000001.pdf